(57)【要約】【課題】噴射口から噴射されるイオン風のエネルギーを確保できるようにする。【解決手段】先端部を有する第１の放電電極１１と、先端部を有する第２の放電電極１３と、基準電極３０と、を備える。放電電極１１は、基準電極３０における放電電極１１との距離が最短となる最短距離点３０ａと噴射口４１の中心線Ｏとの距離が、放電電極１１の先端部と噴射口４１の中心線Ｏとの距離よりも短くなるよう配置されている。放電電極１３は、基準電極３０における放電電極１３との距離が最短となる最短距離点３０ｃと噴射口４１の中心線Ｏとの距離が、放電電極１３の先端部と噴射口４１の中心線Ｏとの距離よりも短くなるよう配置されている。【選択図】図１
2019192358.tif 000002
【特許請求の範囲】
【請求項１】
先端部を有する第１の放電電極（１１）と、
先端部を有する第２の放電電極（１３）と、
前記第１の放電電極の前記先端部および前記第２の放電電極の前記先端部と離間した位置に配置された基準電極（３０）と、
噴射口（４１）を有し、前記第１の放電電極、前記第２の放電電極および前記基準電極を収納したケース（４０）と、
前記第１の放電電極の前記先端部と前記基準電極との間および前記第２の放電電極の前記先端部と前記基準電極との間に印加する電圧を出力する電源（５０）と、
前記第１の放電電極の前記先端部と前記基準電極との間および前記第２の放電電極の前記先端部と前記基準電極との間にコロナ放電を誘起させるよう前記電源の出力電圧を制御する電圧制御部（６０）と、を備え、
前記コロナ放電を誘起させることによりイオンを含むイオン風を前記噴射口から噴射させるイオン風発生装置であって、
前記第１の放電電極は、前記基準電極における前記第１の放電電極との距離が最短となる最短距離点（３０ａ）と前記噴射口の中心線（Ｏ）との距離が、前記第１の放電電極の前記先端部と前記噴射口の中心線との距離よりも短くなるよう配置され、
前記第２の放電電極は、前記基準電極における前記第２の放電電極との距離が最短となる最短距離点（３０ｃ）と前記噴射口の中心線との距離が、前記第２の放電電極の前記先端部と前記噴射口の中心線との距離よりも短くなるよう配置されているイオン風発生装置。
【請求項２】
前記第１の放電電極は、該第１の放電電極の前記先端部と、前記基準電極における前記第１の放電電極との距離が最短となる最短距離点との延長線（Ｅ１）が、前記噴射口の内側を通るよう配置され、
前記第２の放電電極は、該第２の放電電極の前記先端部と、前記基準電極における前記第２の放電電極との距離が最短となる最短距離点との延長線（Ｅ３）が、前記噴射口の内側を通るよう配置されている請求項１に記載のイオン風発生装置。
【請求項３】
前記第１、第２の放電電極は、針状の前記先端部を有している請求項１または２に記載のイオン風発生装置。
【請求項４】
前記基準電極は、板状を成す放電電極基材（１４）を備え、
前記第１の放電電極および前記第２の放電電極は、前記放電電極基材の前記基準電極側の面に配置されている請求項１ないし３のいずれか１つに記載のイオン風発生装置。
【請求項５】
前記噴射口は、前記ケースの軸方向の一方側に形成され、前記基準電極は、該基準電極の中央部が前記ケースの軸方向の他端側に凸となるよう配置されている請求項１ないし４のいずれか１つに記載のイオン風発生装置。
【請求項６】
前記基準電極は、板状を成す基準電極基材（３４）と、前記第１の放電電極の前記先端部側に向かって突出する第１の突起部（３１）と、前記第２の放電電極の前記先端部側に向かって突出する第２の突起部（３３）と、を有し、
前記第１の突起部の前記先端部は、前記基準電極における前記第１の放電電極との距離が最短となる最短距離点となっており、
前記第２の突起部の前記先端部は、前記基準電極における前記第２の放電電極との距離が最短となる最短距離点となっている請求項１ないし５のいずれか１つに記載のイオン風発生装置。
【請求項７】
先端部を有する第３の放電電極（１２）を備え、
前記基準電極は、前記第３の放電電極の前記先端部と離間した位置に配置され、
前記ケースは、さらに、前記第３の放電電極を収納し、
前記電源は、さらに、前記第３の放電電極の前記先端部と前記基準電極との間に印加する電圧を出力し、
前記電圧制御部は、さらに、前記第３の放電電極の前記先端部と前記基準電極との間にコロナ放電を誘起させるよう前記電源の出力電圧を制御し、
前記第３の放電電極は、該第３の放電電極の前記先端部と、前記基準電極における前記第３の放電電極との距離が最短となる最短距離点（３０ａ）との延長線（Ｅ２）が前記噴射口の中心線（Ｏ）と一致するよう配置されている請求項１ないし６のいずれか１つに記載のイオン風発生装置。
【発明の詳細な説明】
【技術分野】
【０００１】
本発明は、イオン風を噴射口から噴射させるイオン風発生装置に関するものである。
【背景技術】
【０００２】
従来、空気砲を送出する装置として、特許文献１に記載されたものがある。この装置は、放出口が形成された筐体と、筐体内に配置された圧縮部材、磁石およびコイルを備え、コイルの電磁力により磁石を変位させて圧縮部材を変形させることにより筐体の放出口から空気砲を送出する。
【先行技術文献】
【特許文献】
【０００３】
【特許文献１】特開２００６−２８２０８２号公報
【発明の概要】
【発明が解決しようとする課題】
【０００４】
上記特許文献１に記載された装置を車両の車室内に配置することが考えられる。車両の車室内のような狭い空間に装置を設置する場合には、装置の小型化が要求される。しかし、筐体を小型化すると、空気砲のエネルギーが低下してしまう。このため、コイルに大電流を流す等して圧縮部材を変形させるためのエネルギーを大きくする必要がある。しかし、この場合、作動音が増大してしまうといった問題がある。
【０００５】
そこで、作動音を低減するようにした空気吹出装置が検討されている。この装置は、図１０に示すように、筒状のケース９５内に複数の放電電極９１〜９３と基準電極９４とを配置し、放電電極９１〜９３と基準電極９４との間にコロナ放電を発生させ、このコロナ放電によりイオンを含んだイオン風をケース９５の軸方向一方側に形成された噴射口９６から噴射させる。
【０００６】
しかし、このような装置では、ケース９５内で発生したイオン風の一部がケース９５に設けられた噴射口９６の周囲の壁面に当たって跳ね返ってしまう。特に、ケース９５の長さを短くした場合、ケース９５に設けられた噴射口９６の周囲の壁面に当たって跳ね返るイオン風が多くなり、噴射口９６から噴射されるイオン風のエネルギーが低下してしまうといった問題がある。
【０００７】
本発明は上記問題に鑑みたもので、噴射口から噴射されるイオン風のエネルギーを確保できるようにすることを目的とする。
【課題を解決するための手段】
【０００８】
上記目的を達成するため、請求項１に記載の発明は、先端部を有する第１の放電電極（１１）と、先端部を有する第２の放電電極（１３）と、第１の放電電極の先端部および第２の放電電極の先端部と離間した位置に配置された基準電極（３０）と、噴射口（４１）を有し、第１の放電電極、第２の放電電極および基準電極を収納したケース（４０）と、第１の放電電極の先端部と基準電極との間および第２の放電電極の先端部と基準電極との間に印加する電圧を出力する電源（５０）と、第１の放電電極の先端部と基準電極との間および第２の放電電極の先端部と基準電極との間にコロナ放電を誘起させるよう電源の出力電圧を制御する電圧制御部（６０）と、を備え、コロナ放電を誘起させることによりイオンを含むイオン風を噴射口から噴射させるイオン風発生装置であって、第１の放電電極は、基準電極における第１の放電電極との距離が最短となる最短距離点（３０ａ）と噴射口の中心線（Ｏ）との距離が、第１の放電電極の先端部と噴射口の中心線（Ｏ）との距離よりも短くなるよう配置され、第２の放電電極は、基準電極における第２の放電電極との距離が最短となる最短距離点（３０ｃ）と噴射口の中心線（Ｏ）との距離が、第２の放電電極の先端部と噴射口の中心線（Ｏ）との距離よりも短くなるよう配置されている。
【０００９】
したがって、イオン風が噴射口の周囲の壁面に当たって跳ね返るのが抑制されるので、噴射口から噴射されるイオン風のエネルギーを確保することができる。
【００１０】
なお、この欄および特許請求の範囲で記載した各手段の括弧内の符号は、後述する実施形態に記載の具体的手段との対応関係を示すものである。
【図面の簡単な説明】
【００１１】
【図１】第１実施形態のイオン風発生装置の上面視図であっって、ケースの上面を切断した図である。
【図２】放電電極の最短距離点から噴射口の中心線に下ろした垂線の長さと、放電電極の先端部から噴射口の中心線に下ろした垂線の長さについて説明するための図である。
【図３】イオン風発生装置の内部の空気の流れを示した図である。
【図４】ケースの内部空間に空気を流入させた際の噴射口から吹き出される空気の進行距離のシミュレーションモデルを表した図である。
【図５】図４のシミュレーションモデルで実施したシミュレーションの結果を表した図である。
【図６】第２実施形態に係るイオン風発生装置の放電電極および基準電極を示した図である。
【図７】第３実施形態に係るイオン風発生装置の放電電極および基準電極を示した図である。
【図８】第４実施形態に係るイオン風発生装置の放電電極および基準電極を示した図である。
【図９】第５実施形態に係るイオン風発生装置の放電電極および基準電極を示した図である。
【図１０】課題について説明するための図である。
【発明を実施するための形態】
【００１２】
以下、本発明の実施形態について図に基づいて説明する。なお、以下の各実施形態相互において、互いに同一もしくは均等である部分には、図中、同一符号を付してある。
【００１３】
（第１実施形態）
第１実施形態に係るイオン風発生装置について、図１〜図６を用いて説明する。本イオン風発生装置は、快適性向上のため、車両の乗員の顔に向けてイオンを含むイオン風を噴射するよう車両のメータ等に取り付けられる。
【００１４】
図１に示すように、イオン風発生装置は、放電電極１０、基準電極３０、ケース４０、電源回路５０および制御部６０を備えている。
【００１５】
ケース４０は、放電電極１０および基準電極３０を収容するものであり、筒状を成している。ケース４０は、絶縁性部材により構成されている。ケース４０の軸方向の一方側には、イオン風を噴射する噴射口４１が形成されている。
【００１６】
ケース４０の内部には、放電電極１０および基準電極３０が、図示しない支持部材を介して固定されている。
【００１７】
放電電極１０は、放電電極１１、放電電極１２および放電電極１３を有している。放電電極１１〜１３は、それぞれ軸状を成しており、その一端側に針状の先端部を有している。放電電極１１〜１３は、それぞれ導電金属製（例えば、銅）の部材により構成されている。なお、放電電極１１は第１放電電極に相当し、放電電極１３は第２放電電極に相当し、放電電極１２は第３放電電極に相当する。
【００１８】
放電電極１１〜１３は、それぞれその一端側に設けられた針状の先端部が基準電極３０側を向くように配置されている。
【００１９】
放電電極１１は、基準電極３０における放電電極１１との距離が最短となる最短距離点３０ａと噴射口４１の中心線Ｏとの距離が、放電電極１１の先端部と噴射口４１の中心線Ｏとの距離よりも短くなるよう配置されている。
【００２０】
具体的には、図２に示すように、放電電極１１は、最短距離点３０ａから噴射口４１の中心線Ｏに下ろした垂線の長さＬ１が、放電電極１１の先端部から噴射口４１の中心線Ｏに下ろした垂線の長さＬ２よりも短くなるよう配置されている。
【００２１】
また、放電電極１３は、基準電極３０における放電電極１３との距離が最短となる最短距離点３０ｃと噴射口４１の中心線Ｏとの距離が、放電電極１３の先端部と噴射口４１の中心線Ｏとの距離よりも短くなるよう配置されている。
【００２２】
具体的には、放電電極１３は、最短距離点３０ｃから噴射口４１の中心線Ｏに下ろした垂線の長さが、放電電極１３の先端部から噴射口４１の中心線Ｏに下ろした垂線の長さよりも短くなるよう配置されている。
【００２３】
さらに、放電電極１１は、該放電電極１１の先端部と、基準電極３０における放電電極１１との距離が最短となる最短距離点３０ａとの延長線Ｅ１が噴射口４１の中を通るように配置されている。
【００２４】
また、放電電極１２は、該放電電極１２の先端部と、基準電極３０における放電電極１２との距離が最短となる最短距離点３０ｂとの延長線Ｅ２が噴射口４１の中心線Ｏと一致するよう配置されている。具体的には、放電電極１２は、該放電電極１２の先端部と、基準電極３０における放電電極１２との距離が最短となる最短距離点３０ｂとの延長線Ｅ２が噴射口４１の中を通るように配置されている。
【００２５】
また、放電電極１３は、該放電電極１３の先端部と、基準電極３０における放電電極１３との距離が最短となる最短距離点３０ｃとの延長線Ｅ３が噴射口４１の中を通るように配置されている。
【００２６】
基準電極３０は、長尺状の板材により構成されており、放電電極１１〜１３と離間した位置に配置されている。基準電極３０は、放電電極１１〜１３よりケース４０の軸方向の一方側に配置されている。また、基準電極３０は、その中央部がケース４０の軸方向の他方側に凸となるよう湾曲している。
【００２７】
電源回路５０は、放電電極１１〜１３と基準電極３０の電位差を制御する出力電圧を発生させる。電源回路５０は、正極端子＋および負極端子−を有している。電源回路５０の負極端子−は配線５０ａを介して放電電極１１〜１３に接続されている。また、電源回路５０の正極端子＋は配線５０ｂを介して放電電極１１〜１３および接地端子ＧＮＤに接続されている。電源回路５０は、３ｋＶ以上の出力電圧を出力することが可能となっている。また、電源回路５０は、矩形形状の電圧を出力することが可能となっている。
【００２８】
制御部６０は、ＣＰＵ、ＲＡＭ、ＲＯＭ、Ｉ／Ｏ等を有するコンピュータとして構成され、ＣＰＵはＲＯＭに記憶されたプログラムにしたがって各種処理を実施する。
【００２９】
本実施形態の制御部６０は、電源回路５０の出力電圧を、放電電極１１〜１３と基準電極３０の間にコロナ放電を誘起させない第１電圧（本実施形態では、−２キロボルト）と、放電電極１１〜１３と基準電極３０の間にコロナ放電を誘起させる第２電圧（本実施形態では、−３キロボルト）との間で切り替える。これにより、コロナ放電により発生したイオン風がケース４０の噴射口４１から噴射される。
【００３０】
次に、イオン風発生装置の作動について説明する。まず、制御部６０は、電源回路５０から−２ｋＶの電圧が出力されるよう電源回路５０を制御する。これにより、放電電極１１〜１３の電位は−２ｋＶとなる。このように、電源回路５０の出力電圧が−２ｋＶになっても放電電極１１〜１３の周囲にコロナ放電は発生しない。
【００３１】
次に、制御部６０は、一定期間（本実施形態では、０．２秒間）、電源回路５０から−３ｋＶの電圧が出力されるよう電源回路５０を制御する。これにより、放電電極１１〜１３の電位は−３ｋＶとなる。このように、放電電極１１〜１３と基準電極３０の間に−３ｋＶの電圧が印加されると、放電電極１１〜１３の先端部の近傍に強電界が生じ、放電電極１１〜１３と基準電極３０の間にコロナ放電が発生する。
【００３２】
ここで、本実施形態のイオン風発生装置は、放電電極１１が、基準電極３０における放電電極１１との距離が最短となる最短距離点３０ａと噴射口４１の中心線Ｏとの距離が、放電電極１１の先端部と噴射口４１の中心線Ｏとの距離よりも短くなるよう配置されている。
【００３３】
そして、放電電極１１の先端部と、基準電極３０における放電電極１１との距離が最短となる最短距離点３０ａとの間にコロナ放電が発生し、このコロナ放電により放電電極１１の先端部から最短距離点３０ａに向かうイオン風が生成される。
【００３４】
また、放電電極１３は、基準電極３０における放電電極１３との距離が最短となる最短距離点３０ｃと噴射口４１の中心線Ｏとの距離が、放電電極１３の先端部と噴射口４１の中心線Ｏとの距離よりも短くなるよう配置されている。
【００３５】
そして、放電電極１３の先端部と、基準電極３０における放電電極１３との距離が最短となる最短距離点３０ｃとの間にコロナ放電が発生し、このコロナ放電により放電電極１３の先端部から最短距離点３０ｃに向かうイオン風が生成される。
【００３６】
さらに、放電電極１２の先端部と、基準電極３０における放電電極１２との距離が最短となる最短距離点３０ｂとの間にコロナ放電が発生し、このコロナ放電により放電電極１２の先端部から最短距離点３０ｂに向かうイオン風が生成される。
【００３７】
すなわち、図３の矢印Ｆ１に示す如く、放電電極１１の先端部から最短距離点３０ａに向かうイオン風が生成されるとともに、図３の矢印Ｆ３に示す如く、放電電極１３から最短距離点３０ｃに向かうイオン風が生成される。さらに、図３の矢印Ｆ２に示す如く、放電電極１２から最短距離点３０ｂに向かうイオン風が生成される。そして、これらのイオン風は、ケース４０の噴射口４１へと向かい、ケース４０の噴射口４１を通ってケース４０の外に排出される。
【００３８】
次に、図４〜図５を参照して、ケース８０の内部空間Ｙに空気を流入させてケース８０の噴射口８１から吹き出される渦輪の進行距離をシミュレーションした結果について説明する。
【００３９】
図４は、ケース８０の内部空間Ｙに空気を流入させてケース８０の噴射口８１から吹き出させるシミュレーションモデルを表している。図４（ａ）は、本実施形態の放電電極に相当する流入口Ｘ１〜Ｘ３の３方向からケース８０の内部空間Ｙに空気を流入させるモデルを表している。図４（ｂ）は、従来装置に相当する流入口Ｘの一方向からケース８０の内部空間Ｙに空気を流入させるモデルを表している。ケース８０の噴射口８１の中心線方向の長さは３５ミリメートル、ケース８０の噴射口８１の中心線方向と直交する方向の長さは７０ミリメートルとなっている。
【００４０】
図５は、放電電極１１〜１３と基準電極３０との間に４キロボルト程度の高電圧を印加した際に発生するイオン風の速度を各流入口から０．０３秒間、ケース８０の内部空間Ｙに流入させた際の渦輪の進行距離を示している。
【００４１】
また、図４（ａ）に示すように、流入口Ｘ１〜Ｘ３の３方向からケース８０の内部空間Ｙに空気を流入させるモデルでは、噴射口８１から吹き出される空気の進行距離は、図５中の本発明として示される結果となった。
【００４２】
図４（ｂ）に示すように、流入口Ｘの一方向からケース８０の内部空間Ｙに空気を流入させるモデルでは、噴射口８１から吹き出される空気の進行距離は、図５中の従来構成として示される結果となった。
【００４３】
図４（ａ）に示したモデルでは、ケース８０の内部空間Ｙに空気を流入させてから１．２秒後における渦輪の進行距離が、図４（ａ）に示したモデルよりも１５センチメート路程度長くなっている。このように、図４（ａ）に示した本発明に相当するモデルの方が、図４（ａ）に示した従来構成に相当するモデルよりも、渦輪のエネルギーが大きくなっていることを示している。
【００４４】
ケース８０を単純に小型化すると圧損が大きくなり、渦輪のエネルギーが減少するが、図４（ａ）に示した本発明のような電極構成とすることで、筐体を小型化した際の渦輪のエネルギーの減少を抑制することができる。これは、図４（ａ）に示した流入口Ｘ１〜Ｘ３を曲げることによりイオン流れを発生させる部分を大きくできる効果もある。図４（ａ）に示した流入口Ｘ１〜Ｘ３の開口面積と図４（ａ）に示した流入口Ｘの開口面積を同一にした場合でも、図４（ａ）に示した流入口Ｘ１〜Ｘ３からケース８０の内部空間Ｙに空気を流入させる構成の方が渦輪のエネルギーが大きくなることが確認できた。
【００４５】
以上、説明したように、本実施形態のイオン風発生装置は、先端部を有する第１の放電電極１１と、先端部を有する第２の放電電極１３と、第１の放電電極１１の先端部および第２の放電電極の先端部と離間した位置に配置された基準電極３０と、を備えている。また、噴射口４１を有し、第１の放電電極１１、第２の放電電極１３および基準電極３０を収納したケース４０を備えている。また、第１の放電電極１１の先端部と基準電極３０との間および第２の放電電極１３の先端部と基準電極３０との間に印加する電圧を出力する電源回路５０と、第１の放電電極１１の先端部と基準電極３０との間および第２の放電電極１３の先端部と基準電極３０との間にコロナ放電を誘起させるよう電源の出力電圧を制御する電圧制御部６０と、を備えている。また、コロナ放電を誘起させることによりイオンを含むイオン風を噴射口４１から噴射させる。第１の放電電極１１は、基準電極３０における第１の放電電極１１との距離が最短となる最短距離点３０ａと噴射口４１の中心線Ｏとの距離が、第１の放電電極１１の先端部と噴射口４１の中心線Ｏとの距離よりも短くなるよう配置されている。また、第２の放電電極１３は、基準電極３０における第２の放電電極１３との距離が最短となる最短距離点３０ｃと噴射口４１の中心線Ｏとの距離が、第２の放電電極１３の先端部と噴射口４１の中心線Ｏとの距離よりも短くなるよう配置されている。
【００４６】
したがって、イオン風のうち噴射口４１の周囲の壁面に当たって跳ね返る量が抑制されるので、噴射口４１から噴射されるイオン風のエネルギーを確保することができる。また、イオン風のうち噴射口４１の周囲の壁面に当たって跳ね返る量が抑制されることで、イオン風の圧力損失が低減するので、ケース４０の容積を低減することも可能である。
【００４７】
また、第１の放電電極１１は、該第１の放電電極１１の先端部と、基準電極３０における第１の放電電極１１との距離が最短となる最短距離点３０ａとの延長線が、噴射口４１の内側を通るよう配置され、第２の放電電極１３は、該第２の放電電極１３の先端部と、基準電極３０における第２の放電電極１３との距離が最短となる最短距離点３０ｃとの延長線が、噴射口４１の内側を通るよう配置されている。
【００４８】
したがって、イオン風のうち噴射口４１の周囲の壁面に当たって跳ね返る量がさらに抑制されるので、さらに、噴射口４１から噴射されるイオン風のエネルギーを確保することができる。
【００４９】
また、第１、第２の放電電極は、針状の先端部を有しているので、第１の放電電極１１の先端部と基準電極３０との間および第２の放電電極１３の先端部と基準電極３０との間に安定的にコロナ放電を誘起させることができ、イオン風の流れを安定化させることができる。
【００５０】
また、本実施形態のイオン風発生装置は、さらに、先端部を有する第３の放電電極１２を備えている。また、基準電極３０は、第３の放電電極１２の先端部と離間した位置に配置され、ケース４０は、さらに、第３の放電電極を収納している。また、電源回路５０は、さらに、第３の放電電極１２の先端部と基準電極との間に印加する電圧を出力する。電圧制御部は、さらに、第３の放電電極の先端部と基準電極との間にコロナ放電を誘起させるよう電源の出力電圧を制御する。そして、第３の放電電極は、該第３の放電電極の先端部と、基準電極における第３の放電電極との距離が最短となる最短距離点３０ａとの延長線Ｅ２が噴射口の中心線Ｏと一致するよう配置されている。
【００５１】
このように、さらに、先端部を有する第３の放電電極１２が、該第３の放電電極の先端部と、基準電極３０における第３の放電電極１２との距離が最短となる最短距離点３０ｂとの延長線Ｅ２が噴射口４１の中心線Ｏと一致するよう配置されている。したがって、さらに、噴射口４１から噴射されるイオン風のエネルギーを確保することができる。
【００５２】
また、ケース４０の軸方向の一方側には、イオン風を噴射する噴射口４１が形成されており、基準電極３０は、その中央部がケース４０の軸方向の他端側に凸となるよう配置されている。
【００５３】
これにより、基準電極３０における第１の放電電極１１との距離が最短となる最短距離点３０ａと噴射口４１の中心線Ｏとの距離が、第１の放電電極１１の先端部と噴射口４１の中心線Ｏとの距離よりも短くなるよう第１の放電電極１１を配置するとともに、基準電極３０における第２の放電電極１３との距離が最短となる最短距離点３０ｃと噴射口４１の中心線Ｏとの距離が、第２の放電電極１３の先端部と噴射口４１の中心線Ｏとの距離よりも短くなるよう放電電極１３を配置することが可能である。
【００５４】
（第２実施形態）
第２実施形態に係るイオン風発生装置について図６を用いて説明する。本実施形態のイオン風発生装置は、上記第１実施形態のイオン風発生装置と比較して、放電電極１１〜１３の数および配置と、基準電極３０の形状が異なる。
【００５５】
本実施形態のイオン風発生装置は、放電電極１０が、第１放電電極１１、第２放電電極１２、第３放電電極１３および放電電極基材１４を備えている。この放電電極基材１４は、板状を成しており、その両端部が中央部に対して所定角度（本実施形態では、１０°）傾斜している。放電電極基材１４は、その中央部がケース４０の軸方向の他端側に凸となるよう配置されている。
【００５６】
放電電極１１〜１３は、放電電極基材１４の基準電極３０側の面に配置されている。具体的には、３つの放電電極１２が放電電極基材１４の中央部に配置され、３つの放電電極１１が放電電極基材１４の一端側に配置され、３つの放電電極１３が放電電極基材１４の他端側に配置されている。なお、放電電極基材１４および各放電電極１１〜１３は一体化されている。放電電極１１〜１３は、３ミリメートル間隔で配置されている。
【００５７】
また、本実施形態のイオン風発生装置は、長尺状の板材よりなる基準電極３０を備えている。また、基準電極３０は、その両端部が中央部に対して所定角度（本実施形態では、１０度）傾斜している。基準電極３０は、その中央部がケース４０の軸方向の他端側に凸となるよう配置されている。
【００５８】
本実施形態のイオン風発生装置は、放電電極１１が、基準電極３０における放電電極１１との距離が最短となる最短距離点３０ａと噴射口４１の中心線Ｏとの距離が、放電電極１１の先端部と噴射口４１の中心線Ｏとの距離よりも短くなるよう配置されている。
【００５９】
そして、放電電極１１の先端部と、基準電極３０における放電電極１１との距離が最短となる最短距離点３０ａとの間にコロナ放電が発生し、このコロナ放電により放電電極１１の先端部から最短距離点３０ａに向かうイオン風が生成される。
【００６０】
また、放電電極１３は、基準電極３０における放電電極１３との距離が最短となる最短距離点３０ｃと噴射口４１の中心線Ｏとの距離が、放電電極１３の先端部と噴射口４１の中心線Ｏとの距離よりも短くなるよう配置されている。
【００６１】
そして、放電電極１３の先端部と、基準電極３０における放電電極１３との距離が最短となる最短距離点３０ａとの間にコロナ放電が発生し、このコロナ放電により放電電極１３の先端部から最短距離点３０ｃに向かうイオン風が生成される。
【００６２】
さらに、放電電極１２の先端部と、基準電極３０における放電電極１２との距離が最短となる最短距離点３０ｂとの間にコロナ放電が発生し、このコロナ放電により放電電極１２の先端部から最短距離点３０ｂに向かうイオン風が生成される。
【００６３】
そして、これらのイオン風は、ケース４０の噴射口４１へと向かい、ケース４０の噴射口４１を通ってケース４０の外に排出される。
【００６４】
本実施形態では、上記第１実施形態と共通の構成から奏される同様の効果を上記第１実施形態と同様に得ることができる。
【００６５】
また、本実施形態の基準電極３０は、板状を成す放電電極基材１４を備え、第１の放電電極１１および第２の放電電極１３は、放電電極基材１４の基準電極３０側の面に配置されている。したがって、第１の放電電極１１、第２の放電電極１３および放電電極基材１４を一体加工することが可能であり、加工コストを低減することが可能である。
【００６６】
（第３実施形態）
第３実施形態に係るイオン風発生装置について図７を用いて説明する。上記第２実施形態のイオン風発生装置は、放電電極基材１４の両端部がその中央部に対して所定角度傾斜するとともに、基準電極３０の両端部がその中央部に対して所定角度傾斜している。これに対し、本実施形態のイオン風発生装置は、放電電極基材１４の中央部がケース４０の軸方向の他方側に凸となるよう湾曲するとともに、基準電極３０の中央部がケース４０の軸方向の他方側に凸となるよう湾曲している。
【００６７】
放電電極基材１４あるいは放電電極基材１４に角部が形成されると、この角部に電界集中部が形成され、この電界集中部で沿面放電やアーク放電が発生する可能性がある。
【００６８】
しかし、本実施形態では、放電電極基材１４および基準電極３０が湾曲しているので、電界集中部を形成させないようにでき、沿面放電やアーク放電を防止することができる。
【００６９】
本実施形態では、上記第１実施形態と共通の構成から奏される同様の効果を上記第１実施形態と同様に得ることができる。
【００７０】
また、本実施形態のイオン風発生装置は、板状を成す放電電極基材１４を備え、第１の放電電極１１および第２の放電電極１３は、放電電極基材１４の基準電極側の面に配置されている。
【００７１】
したがって、第１の放電電極１１、第２の放電電極１３および放電電極基材１４を一体化することができ、加工コストを低減することが可能である。
【００７２】
（第４実施形態）
第４実施形態に係るイオン風発生装置について図８を用いて説明する。本実施形態のイオン風発生装置は、上記第３実施形態のイオン風発生装置と比較して、基準電極３０の放電電極１０側の面に突起部３１〜３３が形成されている点が異なる。すなわち、本実施形態のイオン風発生装置は、突起部３１〜３３と、基準電極基材３４と、を有する基準電極３０を備えている。基準電極３０と突起部３１〜３３は一体化されている。
【００７３】
基準電極３０における突起部３１の先端部に、放電電極１１の先端部との距離が最短となる最短距離点３０ａが形成される。また、基準電極３０における突起部３２の先端部に、放電電極１２の先端部との距離が最短となる最短距離点３０ｂが形成される。また、基準電極３０における突起部３３の先端部に、放電電極１３の先端部との距離が最短となる最短距離点３０ｃが形成される。
【００７４】
このように、基準電極３０の放電電極１０側の面に突起部３１を形成することで、より確実に放電電極１１の先端部と、最短距離点３０ａとの間にコロナ放電を発生させることができる。また、基準電極３０の放電電極１０側の面に突起部３２を形成することで、より確実に放電電極１２の先端部と、最短距離点３０ｂとの間にコロナ放電を発生させることができる。また、基準電極３０の放電電極１０側の面に突起部３３を形成することで、より確実に放電電極１３の先端部と、最短距離点３０ｃとの間にコロナ放電を発生させることができる。
【００７５】
本実施形態では、上記第１実施形態と共通の構成から奏される同様の効果を上記第１実施形態と同様に得ることができる。
【００７６】
また、本実施形態の基準電極３０は、板状を成す基準電極基材３４と、第１の放電電極１１の先端部側に向かって突出する第１の突起部３１と、第２の放電電極の先端部側に向かって突出する第２の突起部３３と、を有している。
【００７７】
したがって、基準電極基材３４、第１の突起部３１および第２の突起部３３を一体化することが可能である。加工コストを低減することが可能である。
【００７８】
また、第１の放電電極１１の先端部は、基準電極３０における第１の放電電極１１との距離が最短となる最短距離点となっており、第２の放電電極１３の先端部は、基準電極３０における第２の放電電極１３との距離が最短となる最短距離点となっている。
【００７９】
このように、第１の放電電極１１の先端部が、基準電極３０における第１の放電電極１１との距離が最短となる最短距離点となり、第２の放電電極１３の先端部が、基準電極３０における第２の放電電極１３との距離が最短となる最短距離点となるよう構成することができる。
【００８０】
（第５実施形態）
第５実施形態に係るイオン風発生装置について図９を用いて説明する。本実施形態のイオン風発生装置は、上記第４実施形態のイオン風発生装置と比較して、放電電極１０および基準電極３０の形状が異なっている。
【００８１】
本実施形態のイオン風発生装置は、放電電極１１〜１３および放電電極基材１４を有する放電電極１０と、突起部３１〜３３および基準電極基材３４を有する基準電極３０と、を備えている。
【００８２】
放電電極１１〜１３は、板状を成す放電電極基材１４の基準電極３０側の面に形成されている。３つの放電電極１１、３つの放電電極１２、３つの放電電極１３の間隔ｔ０は、それぞれ等しくなっている。
【００８３】
また、突起部３１〜３３は、基準電極基材３４の放電電極１１〜１３側の面に形成されている。３つ突起部３１の間隔ｔ１、３つ突起部３２の間隔ｔ２、３つ突起部３３の間隔ｔ３は、放電電極１１〜１３の間隔ｔ０と等しくなっている。また、隣り合う突起部３１と突起部３２の間隔ｔ４と、隣り合う突起部３２と突起部３３の間隔ｔ５は、各放電電極の間隔ｔ１〜ｔ３よりも短くなっている。
【００８４】
放電電極１１は、最短距離点３０ａから噴射口４１の中心線Ｏに下ろした垂線の長さＬ１が、放電電極１１の先端部から噴射口４１の中心線Ｏに下ろした垂線の長さよりも短くなるよう配置されている。
【００８５】
そして、放電電極１１の先端部と、基準電極３０における放電電極１１との距離が最短となる最短距離点３０ａとの間にコロナ放電が発生し、このコロナ放電により放電電極１１の先端部から最短距離点３０ａに向かうイオン風が生成される。
【００８６】
放電電極１２は、該放電電極１２の先端部と、基準電極３０における放電電極１２との距離が最短となる最短距離点３０ｂとの延長線Ｅ２が噴射口の中心線Ｏと一致するよう配置されている。
【００８７】
そして、放電電極１２の先端部と、基準電極３０における放電電極１２との距離が最短となる最短距離点３０ｂとの間にコロナ放電が発生し、このコロナ放電により放電電極１２の先端部から最短距離点３０ｂに向かうイオン風が生成される。
【００８８】
放電電極１３は、基準電極３０における放電電極１３との距離が最短となる最短距離点３０ｃと噴射口４１の中心線Ｏとの距離が、放電電極１３の先端部と噴射口４１の中心線Ｏとの距離よりも短くなるよう配置されている。
【００８９】
そして、放電電極１３の先端部と、基準電極３０における放電電極１３との距離が最短となる最短距離点３０ｃとの間にコロナ放電が発生し、このコロナ放電により放電電極１３の先端部から最短距離点３０ｃに向かうイオン風が生成される。
【００９０】
本実施形態では、上記第１実施形態と共通の構成から奏される同様の効果を上記第１実施形態と同様に得ることができる。
【００９１】
（他の実施形態）
（１）上記各実施形態において、快適性向上のため、車両の乗員の顔に向けてイオンを含むイオン風を噴射する例を示したが、例えば、湿度を高めたイオン風やアロマオイル用等による香りを含むイオン風を噴射するよう構成することもできる。
【００９２】
（２）上記第１〜第５実施形態では、長尺状の板材により基準電極３０を構成したが、基準電極３０は、このような形状のものに限定されない。
【００９３】
（３）上記第１〜第５実施形態では、第１の放電電極１１が、該第１の放電電極１１の先端部と、基準電極３０における第１の放電電極との距離が最短となる最短距離点３０ａとの延長線Ｅ１が、噴射口４１の内側を通るよう配置されている。また、第２の放電電極１３が、該第２の放電電極１３の先端部と、基準電極３０における第２の放電電極１３との距離が最短となる最短距離点３０ｃとの延長線Ｅ３が、噴射口４１の内側を通るよう配置されている。
【００９４】
これに対し、第１の放電電極１１の先端部と、基準電極３０における第１の放電電極との距離が最短となる最短距離点３０ａとの延長線Ｅ１が、必ずしも噴射口４１の内側を通るよう第１の放電電極１１を配置しなくてもよい。また、該第２の放電電極１３の先端部と、基準電極３０における第２の放電電極１３との距離が最短となる最短距離点３０ｃとの延長線Ｅ３が、必ずしも噴射口４１の内側を通るよう第２の放電電極１３を配置しなくてもよい。
【００９５】
（４）上記第２実施形態では、放電電極１１〜１３を３ミリメートル間隔で配置するようにしたが、放電電極１１〜１３を３ミリメートル以外の間隔で配置してもよい。例えば、放電電極１１〜１３を２ミリメートル間隔で配置して放電電極１１〜１３の数を増加させることで、噴射口４１から吹き出されるイオン風のエネルギーをより大きくすることができる。
【００９６】
（５）上記第２〜第５実施形態では、１つの放電電極１１〜１３と１つの基準電極３０を備えた。これに対し、図６〜図９に示した放電電極１０を複数個用意して、複数の放電電極１０を所定間隔毎に紙面垂直方向に積層配置するとともに、図６〜図９に示した基準電極３０を複数個用意して、複数の基準電極３０を所定間隔毎に紙面垂直方向に積層配置するようにしてもよい。例えば、複数の放電電極１０を１０ミリメートル間隔毎に積層配置するとともに、積層方向に隣接する放電電極１０の中間位置に各基準電極３０が配置されるよう複数の基準電極３０を積層配置するようにしてもよい。これにより、噴射口４１から吹き出されるイオン風のエネルギーをより大きくすることができる。
【００９７】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００９８】
（まとめ）
上記各実施形態の一部または全部で示された第１の観点によれば、イオン風発生装置は、先端部を有する第１の放電電極と、先端部を有する第２の放電電極と、を備えている。また、第１の放電電極の先端部および第２の放電電極の先端部と離間した位置に配置された基準電極を備えている。また、噴射口を有し、第１の放電電極、第２の放電電極および基準電極を収納したケースを備えている。また、第１の放電電極の先端部と基準電極との間および第２の放電電極の先端部と基準電極との間に印加する電圧を出力する電源を備えている。また、第１の放電電極の先端部と基準電極との間および第２の放電電極の先端部と基準電極との間にコロナ放電を誘起させるよう電源の出力電圧を制御する電圧制御部を備えている。そして、コロナ放電を誘起させることによりイオンを含むイオン風を噴射口から噴射させる。そして、第１の放電電極は、基準電極における第１の放電電極との距離が最短となる最短距離点と噴射口の中心線との距離が、第１の放電電極の先端部と噴射口の中心線との距離よりも短くなるよう配置されている。また、第２の放電電極は、基準電極における第２の放電電極との距離が最短となる最短距離点と噴射口の中心線との距離が、第２の放電電極の先端部と噴射口の中心線との距離よりも短くなるよう配置されている。
【００９９】
また、第２の観点によれば、第１の放電電極は、該第１の放電電極の先端部と、基準電極における第１の放電電極との距離が最短となる最短距離点との延長線が、噴射口の内側を通るよう配置されている。また、第２の放電電極は、該第２の放電電極の先端部と、基準電極における第２の放電電極との距離が最短となる最短距離点との延長線が、噴射口の内側を通るよう配置されている。
【０１００】
したがって、イオン風のうち噴射口の周囲の壁面に当たって跳ね返る量がさらに抑制されるので、さらに、噴射口から噴射されるイオン風のエネルギーを確保することができる。
【０１０１】
また、第３の観点によれば、第１、第２の放電電極は、針状の先端部を有している。したがって、第１の放電電極の先端部と基準電極との間および第２の放電電極の先端部と基準電極との間に安定的にコロナ放電を誘起させることができ、イオン風の流れを安定化させることができる。
【０１０２】
また、第４の観点によれば、基準電極は、板状を成す放電電極基材を備え、第１の放電電極および第２の放電電極は、放電電極基材の基準電極側の面に配置されている。したがって、第１の放電電極、第２の放電電極および放電電極基材を一体加工することが可能であり、加工コストを低減することが可能である。
【０１０３】
また、第５の観点によれば、噴射口は、ケースの軸方向の一方側に形成され、基準電極は、該基準電極の中央部がケースの軸方向の他端側に凸となるよう配置されている。
【０１０４】
これにより、基準電極３０における第１の放電電極１１との距離が最短となる最短距離点３０ａと噴射口４１の中心線Ｏとの距離が、第１の放電電極１１の先端部と噴射口４１の中心線Ｏとの距離よりも短くなるよう第１の放電電極１１を配置するとともに、基準電極３０における第２の放電電極１３との距離が最短となる最短距離点３０ｃと噴射口４１の中心線Ｏとの距離が、第２の放電電極１３の先端部と噴射口４１の中心線Ｏとの距離よりも短くなるよう放電電極１３を配置することが可能である。
【０１０５】
また、第６の観点によれば、基準電極は、板状を成す基準電極基材と、第１の放電電極の先端部側に向かって突出する第１の突起部と、第２の放電電極の先端部側に向かって突出する第２の突起部と、を有している。そして、第１の突起部の先端部は、基準電極における第１の放電電極との距離が最短となる最短距離点となっており、第２の突起部の先端部は、基準電極における第２の放電電極との距離が最短となる最短距離点となっている。
【０１０６】
したがって、基準電極基材、基準電極および第２の突起部を一体化することが可能である。加工コストを低減することが可能である。また、第１の突起部の先端部が、基準電極における第１の放電電極との距離が最短となる最短距離点となり、第２の突起部の先端部が、基準電極における第２の放電電極との距離が最短となる最短距離点となるよう構成することができる。
【０１０７】
また、第７の観点によれば、先端部を有する第３の放電電極を備え、基準電極は、第３の放電電極の先端部と離間した位置に配置され、ケースは、さらに、第３の放電電極を収納する。電源は、さらに、第３の放電電極の先端部と基準電極との間に印加する電圧を出力し、電圧制御部は、さらに、第３の放電電極の先端部と基準電極との間にコロナ放電を誘起させるよう電源の出力電圧を制御する。まＴＳ、第３の放電電極は、該第３の放電電極の先端部と、基準電極における第３の放電電極との距離が最短となる最短距離点との延長線が噴射口の中心線と一致するよう配置されている。
【０１０８】
このように、さらに、先端部を有する第３の放電電極が、該第３の放電電極の先端部と、基準電極における第３の放電電極との距離が最短となる最短距離点との延長線が噴射口の中心線と一致するよう配置されている。したがって、さらに、噴射口から噴射されるイオン風のエネルギーを確保することができる。
【符号の説明】
【０１０９】
１０              放電電極
１１〜１３        放電電極
１４              放電電極機材
３０              基準電極
３１〜３３、３５  突起部
３４              基準電極機材
４０              ケース
４１              噴射口
５０              電源回路
６０              制御部  
【図１】
2019192358.tif 000003
【図２】
2019192358.tif 000004
【図３】
2019192358.tif 000005
【図４】
2019192358.tif 000006
【図５】
2019192358.tif 000007
【図６】
2019192358.tif 000008
【図７】
2019192358.tif 000009
【図８】
2019192358.tif 000010
【図９】
2019192358.tif 000011
【図１０】
2019192358.tif 000012